(57)【要約】【課題】商品に添付して商品管理等を行なうためのＲＦＩＤタグにおいて、添付する商品の商品イメージを損なったりせず、添付する商品の商品イメージや、高級感や、デザイン性等と上手く調和させ、商品毎に応じて相応しい形状を有するＲＦＩＤタグを提供する。【解決手段】ＩＣと、前記ＩＣに接続されたアンテナとを備えたＲＦＩＤタグにおいて、前記アンテナが、装飾品としてデザイン化された外形形状を有していることを特徴とする。例えば、アンテナが、金属、または金属が被覆された材質で形成されている。また、アンテナが立体形状を有している。【選択図】        図１
2004326380.tif 000002
【特許請求の範囲】
【請求項１】
ＩＣと、前記ＩＣに接続されたアンテナとを備えたＲＦＩＤタグにおいて、
前記アンテナが、装飾品としてデザイン化された外形形状を有していることを特徴とするＲＦＩＤタグ。
【請求項２】
前記アンテナが、金属、または金属が被覆された材質で形成されていることを特徴とする請求項１記載のＲＦＩＤタグ。
【請求項３】
前記アンテナが、立体形状を有していることを特徴とする請求項１または請求項２に記載のＲＦＩＤタグ。
【請求項４】
前記アンテナが、支持体上に設けられたカーボン粉末、または金属粉末を主成分とする導電性混合物から形成されていることを特徴とする請求項１記載のＲＦＩＤタグ。
【発明の詳細な説明】
【０００１】
【発明の属する技術分野】
本発明は、例えばハンドバック、ブリーフケース、ボストンバック、リュックサック、財布、衣料品、電化製品、玩具、キャラクター商品、飲料品、宝石、時計貴金属などの商品に付けて、商品管理等を行なうためのＲＦＩＤ（Ｒａｄｉｏ
Ｆｒｅｑｕｅｎｃｙ−Ｉｄｅｎｔｉｆｉｃａｔｉｏｎ）タグに関する。
【０００２】
従来、ＲＦＩＤタグの形状は、カード状、コイン状、棒状などや、またガラスにて封止されたカプセル状のものや、金属にて封止されたものなどが一般的であった。
そして、これらのＲＦＩＤタグは、機能こそ保持するものの、見栄えが悪かったり、添付された商品の商品イメージを損なったり、顧客がそれほど関心を引くデザインではないのが一般的であった。
また、種々の外形形状を有するＩＣキャリアとしては、既にアプリケーション毎に異なる外形形状を有するＩＣキャリアも知られているが、これは添付する商品のイメージアップを図る目的ではなく、ＩＣキャリアの使用目的を外形によりわかりやすくしたものである。（参考文献１）
【０００３】
例えば、ヨーロッパ製などの有名ブランド品は、商品イメージや、高級感や、デザイン性等を重要視する場合が多い為に、商品に付けるＲＦＩＤタグにも、商品イメージにうまく調和して商品毎に相応しい形状を有するＲＦＩＤタグが要求されるが、従来のＲＦＩＤタグにおいては、単に事務的な形状を有するＲＦＩＤタグが一般的であり、商品とＲＦＩＤタグとの間で、顧客に違和感を感じさせ、商品イメージを損なう恐れもあり販売促進上も好ましくないという問題がある。
【０００４】
【特許文献１】
特開平１１−２６５４２９
【０００５】
【発明が解決しようとする課題】
本発明は、上記のような問題点に鑑みてなされたものであり、その目的とするところは、商品に添付して商品管理等を行なうためのＲＦＩＤタグにおいて、添付する商品の商品イメージを損なったりせず、添付する商品の商品イメージや、高級感や、デザイン性等と上手く調和させ、商品毎に応じた相応しい形状を有するＲＦＩＤタグを提供する。
【０００６】
【課題を解決するための手段】
本発明のＲＦＩＤタグは、ＩＣと、前記ＩＣに接続されたアンテナとを備えたＲＦＩＤタグにおいて、前記アンテナが、装飾品としてデザイン化された外形形状を有していることを特徴とする。
【０００７】
また、本発明のＲＦＩＤタグは、前記アンテナが、金属、または金属が被覆された材質で形成されていることを特徴とする。
【０００８】
更に、本発明のＲＦＩＤタグは、前記アンテナが、立体形状を有していることを特徴とする。
【０００９】
また、本発明のＲＦＩＤタグは、前記アンテナが、支持体上に設けられたカーボン粉末、または金属粉末を主成分とする導電性混合物から形成されていることを特徴とする。
【００１０】
【発明の実施の形態】
図１は、本発明の第１実施形態に係るＲＦＩＤタグの平面図、図２は、本発明の第２実施形態に係るＲＦＩＤタグの平面図、図３は、本発明の第３実施形態に係るＲＦＩＤタグの平面図、図４は、本発明の第４実施形態に係るＲＦＩＤタグの平面図、図５は、本発明の第４実施形態に係るＲＦＩＤタグを製造する工程を示す図、図６は、図５（ｂ）の工程段階におけるＲＦＩＤタグの途中製品の平面図、図７は、図５（ｃ）の工程段階におけるＲＦＩＤタグの平面図である。
【００１１】
本発明の第１実施形態に係るＲＦＩＤタグ１は、図１に示すように、ＩＣが内蔵されているＩＣチップ装着部２と、前記ＩＣに接続されているアンテナ３ａ，３ｂと、前記アンテナ３ａ，３ｂを固定するアンテナ固定部４と、商品等に添付するためのストラップ５などを有している。
ＩＣチップ装着部２は、ＩＣチップを実装したエポキシ樹脂からなるＣＯＢ（Ｃｈｉｐ  Ｏｎ  Ｂｏａｒｄ）からなり、このＣＯＢの端子にアンテナ３ａ，３ｂが接続されている。
【００１２】
アンテナ３ａ，３ｂは、連続的につながっているが、それぞれ円形状に２重巻きされ、アンテナ３ａとアンテナ３ｂとが直角に交差した状態で立体形状を有して、ＩＣチップ装着部２とアンテナ固定部４とで一体的に固定されている。
アンテナ３ａ，３ｂの基材は、導伝性物質ならばどのようなものでもよく、例えば、金、銀、銅、鉄、アルミニウム、亜鉛、ニッケル、クロム、その他の金属、及び、これら金属の二種または三種以上の合金等を使用することができる。
【００１３】
本発明に使用するアンテナ３ａ，３ｂは、例えば、以下の方法により製造される。
一般のエナメルのごとく線状に成形した金属を、波長に対応する長さに切断し、渦巻状や任意の形状に成形する。
または、板状に成形した金属を、一般のフォトリソグラフィーによるエッチングやメッキ、若しくはプレスにて任意の形状に打ち抜く、その後、例えば地球独楽のごとく立体成形しても良いし、あるいはプラスチックフィルムでラミネート、あるいは樹脂にて立体形状を保ったまま封止しても良い。
この際に使用する金属は、上記のように単一金属ではなく、金属の二種または三種以上の合金等も使用することができるが、導電性と実用面で金、銀、銅、鉄、アルミニウム等が好ましく用いられる。
【００１４】
また、前述したように、本発明にかかるデザイン化されたアンテナは、不慮のショートや外部汚染からアンテナを保護する為、且つ意匠性を高める為に、アンテナを貴金属メッキしたり、所望の塗料を塗布したり、プラスチックチューブ等で被覆することが好ましい。
また、カーボンや上記金属の単独または複数の粉末を分散させた導伝性ペーストや導伝性インキを用いる場合は、プラスチックフィルム等の支持体上に所望のアンテナをシルクスクリーン等の印刷技術、若しくはインキジェット、転写等によりパターン形成する。
【００１５】
本発明の第２実施形態に係るＲＦＩＤタグ６は、図２に示すように、ＩＣが内蔵されているＩＣチップ装着部７と、前記ＩＣに接続されているアンテナ８と、商品等に添付するためのストラップ９などを有している。
ＩＣチップ装着部７は、ＩＣチップを実装したエポキシ樹脂からなるＣＯＢ（Ｃｈｉｐ  Ｏｎ  Ｂｏａｒｄ）からなり、このＣＯＢの端子にアンテナ８が接続され、更にＩＣチップ装着部７は、複数のアンテナ８を一体化させて固定するアンテナ固定部の役目も兼ねている。
【００１６】
アンテナ３は、サイズの異なる２つの星形状を有するアンテナ８同士が、大きなサイズのアンテナの内側に、小さなサイズのアンテナを配置させて、ＩＣチップ装着部７にて接合され一体化された構造を有している。
【００１７】
以上のように、第１実施形態及び第２実施形態に係るＲＦＩＤタグでは、アンテナ３の部分を、ＲＦＩＤタグを添付する商品の商品イメージに合った所望の形状とすることで、様々な形状とすることができる。
また、ＩＣチップ装着部２をアンテナのどこの位置に設けたら良いかなど、適宜自由に定めることで、デザイン性を有するＲＦＩＤタグを構成することができる。
【００１８】
次に、本発明の第３実施形態に係るＲＦＩＤタグ１０は、図３に示すように、プラスチック等の支持体１１上に設けられたアンテナ１２と、ＩＣが内蔵されているＩＣチップ装着部１３と、商品等に添付するためのストラップ１４を有している。
アンテナ１２は、プラスチック等の支持体１１上に、例えば、カーボンや上記金属の単独または複数の粉末を分散させた導伝性ペーストや導電性インキなどを用いて、シルクスクリーン等の印刷技術、若しくはインキジェット、転写等によりパターン形成することで設ける。
【００１９】
この際、導電性インキに顔料を混入させることで、意匠性の高いデザインアンテナを形成することができる。
これらの場合、支持体には、透明プラスチックが好ましく、またラミネートフィルムあるいは封止する樹脂に各種色や絵柄を付けておくことも可能である。
上記のようなアンテナを形成することにより、その機能性、デザイン効果等を更に高めることが可能となるものである。
【００２０】
図３に示すように、第３実施形態に係るＲＦＩＤタグ１０は、外形形状が８角形をした支持体１１上に、直径のことなる円形からなるアンテナ１２が３重に設けられ、３重のアンテナ１２の所定部分にＩＣチップ装着部１３が備えられている。
【００２１】
また、本発明において、ＩＣチップとアンテナとの接合は、信頼性と機能などの点から、ＣＯＢ（Ｃｈｉｐ  Ｏｎ  Ｂｏａｒｄ）とアンテナを半田若しくはワーヤーボンドにて接合する方法にて行われるが、アンテナの形状次第でフリップチップ実装が可能である。
また、アンテナとＩＣチップとの接合部分は、プラスチック樹脂にて封止して固定する。
【００２２】
次に、本発明の第４実施形態に係るＲＦＩＤタグ１５は、図４に示すように、ハート形を有するプラスチック等の支持体１６上に設けられたアンテナ１７と、ＩＣが内蔵されているＩＣチップ装着部１８と、商品等に添付するためのストラップ１９を有している。
アンテナ１７は、支持体１６の外形形状と略同様のハート形をしていて、３重に巻かれて、上方に設けられているＩＣチップ装着部１８と接合されている。
【００２３】
【実施例１】
図１に示すように、直径０．３ｍｍ、長さ約７０ｃｍからなる、金粉を分散させた赤色のアクリル塗料を塗布したエナメル線からなるアンテナ３ａ，３ｂを、手毬のような球状に成形し、両端面をＰｈｉｌｉｐｓ社製のＩ−Ｃｏｄｅ  ＳＬＩＩ  Ｃｈｉｐを実装した２ｍｍ角のエポキシ樹脂からなるＩＣチップ装着部２であるＣＯＢ（Ｃｈｉｐ  Ｏｎ  Ｂｏａｒｄ）に接続した。
続いて、その接続部を固定するため熱硬化性樹脂にて接続部を封止すると共に、アンテナ３ａ，３ｂが交差する部分を、熱硬化性樹脂にて接続してアンテナ固定部４を設けた。
更に、ストラップ５を取り付けた。
こうして出来上がったＲＦＩＤタグ１は、立体的で手毬のような球状を有し、輝きのある赤色で球状のいかにも高価で意匠性の高いタグとなった。
【００２４】
【実施例２】
図５（ａ）に示すように、まず、厚さ０．２５ｍｍの透明ペットフィルム２０と、厚さ３５μｍのアルミ２１とをラミネートしたシートを用い、これをフォトリソグラフィー工程にてアルミ２１をエッチングし、図５（ｂ）及び図６に示すように、透明ペットフィルム２０の上に線幅１ｍｍのアルミ２１からなるデザインされた渦巻状のパターンを得た。
このアルミ２１のアンテナにＩＣとの接続部を除き金色の塗料を塗布した。
【００２５】
続いて、図５（ｃ）に示すように、このアンテナパターンにＰｈｉｌｉｐｓ社製のＩ−Ｃｏｄｅ  ＳＬＩＩ  Ｃｈｉｐを付与したＣＯＢモジュール２２を接続し、その接続部を固定するため熱硬化性樹脂にて接続部を封止した。
続いて、更に図５（ｄ）に示すように、厚さ０．２５ｍｍの透明ペットフィルム２３にてアンテナ部分全体をラミネートし、図７に示すように、アンテナの外形に沿って打ち抜き端に取り付け用のストラップ２４を付けた。
こうして出来上がったＲＦＩＤタグ２５は、表側が金色、裏側が銀色のいかにも高価で意匠性の高いタグとなった。
【００２６】
【発明の効果】
以上のように、本発明のＲＦＩＤタグは、アンテナが、装飾品としてデザイン化された外形形状を有しているので、添付する商品の商品イメージを損なったりせず、添付する商品の商品イメージや、高級感や、デザイン性等と上手く調和させ、商品毎に相応しいタグとすることができるという効果がある。
また、本発明のＲＦＩＤタグは、アンテナを、金属、または金属が被覆された材質で形成することで、簡単に種々のデザイン化された形状のアンテナを形成することができる。
更に、前記アンテナを立体形状とすることで、より高級感のあるデザインを施すことができるという効果がある。
また、本発明のＲＦＩＤタグは、アンテナを支持体上に設けられたカーボン粉末、または金属粉末を主成分とする導電性混合物により形成することで、所望のデザインを有するアンテナを形成することができるという効果がある。
【図面の簡単な説明】
【図１】本発明の第１実施形態に係るＲＦＩＤタグの平面図である。
【図２】本発明の第２実施形態に係るＲＦＩＤタグの平面図である。
【図３】本発明の第３実施形態に係るＲＦＩＤタグの平面図である。
【図４】本発明の第４実施形態に係るＲＦＩＤタグの平面図である。
【図５】本発明の第４実施形態に係るＲＦＩＤタグを製造する工程を示す図である。
【図６】図５（ｂ）の工程段階におけるＲＦＩＤタグの途中製品の平面図である。
【図７】図５（ｃ）の工程段階におけるＲＦＩＤタグの平面図である。
【符号の説明】
１，６，１０，１５，２５  ＲＦＩＤタグ
２，７，１３，１８，２２  ＩＣチップ装着部
３，８，１２，１７，２１  アンテナ
４  アンテナ固定部
５，９，１４，１９，２４  ストラップ
１１，１６  支持体
２０  透明ペットフィルム
２１  アルミ
２２，２３  ＣＯＢモジュール
【図１】
2004326380.tif 000003
【図２】
2004326380.tif 000004
【図３】
2004326380.tif 000005
【図４】
2004326380.tif 000006
【図５】
2004326380.tif 000007
【図６】
2004326380.tif 000008
【図７】
2004326380.tif 000009